(57)【要約】【課題】光触媒付き光透過性部材などの光触媒活性を高める。【解決手段】本発明の光触媒装置（光触媒付き光透過性部材）１０は、第１表面１００ａと第１表面１００ａと対向する第２表面１００ｂを有する板状またはシート状の無機材料、有機樹脂からなる透明又は半透明の光透過性部材１００と、第１表面１００ａに配置された紫外線応答型光触媒を含有する膜状又はシート状の紫外線応答型光触媒１０１と、第２表面１００ｂに配置された可視光応答型光触媒を含有する可視光応答型光触媒１０２を備える。太陽光線等の紫外線と可視光線を含む光線を第１表面１００ａ側から光触媒付き光透過性部材１０に入射させて、その両面に配置された紫外線応答型光触媒１０１と可視光応答型光触媒１０２を励起する。【選択図】  図１
2007160240.tif 000002
【特許請求の範囲】
【請求項１】
第１の表面と前記第１の表面と対向する第２の表面を有する板状またはシート状の光透過性部材と、
前記第１の表面に全面的に又は部分的に配置された膜状またはシート状の紫外線応答型光触媒を含有する紫外線応答型光触媒部材と、
前記第２の表面に全面的に又は部分的に配置された膜状またはシート状の可視光応答型光触媒を含有する可視光応答型光触媒部材を備えた、光触媒を担持した光透過性部材。
【請求項２】
第１の表面と前記第１の表面と対向する第２の表面を有する板状またはシート状の光透過性部材と、
前記第１の表面に全面的に又は部分的に配置された膜状またはシート状の紫外線応答型光触媒を含有する紫外線応答型光触媒部材と、
前記第２の表面に全面的に又は部分的に配置された可視光応答型光触媒を含有する膜状またはシート状の可視光応答型光触媒部材を備えた光触媒を担持した光透過性部材を準備し、
紫外線と可視光を含む光線を前記第１の表面側から前記光透過性部材に入射させて、紫外線により前記紫外線応答型光触媒部材を励起し、
前記光透過性部材を透過した可視光により前記可視光応答型光触媒部材を励起する、光触媒を担持した光透過性部材の励起方法。
【請求項３】
対向する一対の表面を有する光透過性部材と、
紫外線応答型光触媒を含有する光触媒膜または光触媒シートからなり、一方の前記表面に形成または接着された紫外線応答型光触媒部材と、
可視光応答型光触媒を含有する光触媒膜または光触媒シートからなり、他方の前記表面に形成または接着された可視光応答型光触媒部材を備えた、光触媒を担持した光透過性部材。
【請求項４】
第１の表面と前記第１の表面と対向する第２の表面を有する窓用光透過性部材と、
前記第１の表面に全面的に又は部分的に配置された膜状またはシート状の紫外線応答型光触媒を含有する紫外線応答型光触媒と、
前記第２の表面に全面的に又は部分的に配置された可視光応答型光触媒を含有する膜状またはシート状の可視光応答型光触媒を備え、
前記第１の表面を開放空間側に配置し、前記第２の表面を閉塞空間側に配置した、光触媒を担持した窓用光透過性部材。
【請求項５】
対向する一対の表面を有する窓用光透過性部材と、
紫外線応答型光触媒を含有する光触媒膜または光触媒シートからなり、一方の前記表面に形成されたまたは接着された紫外線応答型光触媒部材と、
可視光応答型光触媒を含有する光触媒膜または光触媒シートからなり、他方の前記表面に形成されたまたは接着された可視光応答型光触媒部材を備え、
開放空間側に前記紫外線応答型光触媒部材を配置し、閉塞空間側に前記可視光応答型光触媒部材を配置した、光触媒を担持した窓用光透過性部材。
【請求項６】
開放空間側に配置した第１の窓用光透過性部材と、
第１の窓用光透過性部材と所定空間を保って閉塞空間側に配置した第２の窓用光透過性部材と、
第１の窓用光透過性部材の内面に配置された紫外線応答型光触媒を含有する第１の光触媒膜と、
第２の窓用光透過性部材の内面に配置された可視光応答型光触媒を含有する第２の光触媒膜を備えた、光触媒を担持した窓用光透過性部材。
【請求項７】
開放空間側に配置した第１の窓用光透過性部材と、
第１の窓用光透過性部材と所定空間を保って閉塞空間側に配置した第２の窓用光透過性部材と、
第１の窓用光透過性部材の内面に配置された紫外線応答型光触媒を含有する第１の光触媒膜と、
第２の窓用光透過性部材の内面に配置された可視光応答型光触媒を含有する第２の光触媒膜を備え、
第２の窓用光透過性部材に少なくとも一つの貫通孔を設け、前記貫通孔を経由して屋内の空気を前記所定空間内に通気可能とした、空気清浄機能付き窓用光透過性部材。
【請求項８】
対向する一対の表面を有する光学素子と、
紫外線応答型光触媒を含有する光触媒膜または光触媒シートからなり、一方の前記表面に形成されたまたは接着された紫外線応答型光触媒部材と、
可視光応答型光触媒を含有する光触媒膜または光触媒シートからなり、他方の前記表面に形成されたまたは接着された可視光応答型光触媒部材を備えた、光触媒を担持した光学素子。
【請求項９】
対向する一対の表面を有するレンズ部材と、
紫外線応答型光触媒を含有する光触媒膜または光触媒シートからなり、一方の前記表面に形成されたまたは接着された紫外線応答型光触媒部材と、
可視光応答型光触媒を含有する光触媒膜または光触媒シートからなり、他方の前記表面に形成されたまたは接着された可視光応答型光触媒部材を備えた、光触媒を担持したレンズ部材。
【請求項１０】
対向する一対の表面を有するレンズ部材と、
紫外線応答型光触媒を含有する光触媒膜または光触媒シートからなり、一方の前記表面に形成されたまたは接着された紫外線応答型光触媒部材と、
可視光応答型光触媒を含有する光触媒膜または光触媒シートからなり、他方の前記表面に形成されたまたは接着された可視光応答型光触媒部材からなる光触媒を担持したレンズ部材を備えた、光触媒を担持した眼鏡。
【請求項１１】
第１の表面と前記第１の表面と対向する第２の表面を有する板状またはシート状の光透過性部材と、
前記第１の表面に配置された膜状またはシート状の紫外線応答型光触媒を含有する紫外線応答型光触媒部材と、
前記第２の表面に配置された膜状またはシート状の可視光応答型光触媒を含有する可視光応答型光触媒部材を備え、
前記紫外線応答型光触媒部材および、または前記可視光応答型光触媒部材が所定のパターン状の形状に前記光透過性部材に配置された、光触媒を担持した光透過性部材。
【請求項１２】
請求項１または請求項３乃至請求項７のいずれかまたは請求項１１において、前記光透過性部材が建築用窓である光触媒を担持した建築用窓。
【請求項１３】
請求項１または請求項３乃至請求項７のいずれかまたは請求項１１において、前記光透過性部材が乗物用窓である光触媒を担持した乗物用窓。
【請求項１４】
請求項１または請求項３または請求項１１において、前記光透過性部材がレンズである光触媒を担持したレンズ。
【請求項１５】
請求項１または請求項３または請求項１１において、前記光透過性部材が計器用窓である光触媒を担持した計器用窓
【請求項１６】
請求項１または請求項３または請求項１１において、前記光透過性部材がゴーグル用窓である光触媒を担持したゴーグル用窓。
【請求項１７】
請求項１または請求項３または請求項１１において、前記光透過性部材が太陽電池用窓である光触媒を担持した太陽電池用窓。
【発明の詳細な説明】
【技術分野】
【０００１】
本発明は、光触媒を担持した透明または半透明なガラス、プラスチックからなる光透過性部材とその応用に関する。
【背景技術】
【０００２】
光触媒を担持した光透過性部材（透光性部材）として、例えば特許文献１、特許文献２などが知られている。
【０００３】
特許文献１（特許第３３８３９３２号公報）、特許文献２（米国特許第６，２３８，６３０号公報）には、結合材を用いるかまたは結合材を用いずに、板状などの光透過性支持体（光透過性部材、導光性部材）の少なくとも一表面に酸化チタン等の多数の光触媒粒子を固定した光触媒層とからなる光触媒含有装置が開示されている。
【０００４】
例えば、特許文献３（特開平０９−０７１４３７号公報）、ガラス板の少なくとも一方の面に光触媒作用を有する酸化チタン薄膜２を設けた窓用ガラスが開示されている。
【０００５】
例えば、特許文献４（特開２００３−１８４４４５号公報）には、窓ガラスの室外側表面には少なくとも光触媒材料を含有している薄膜が形成されたた建築物用窓構造が開示されている。
【０００６】
例えば、特許文献５（特開平９−２２７１５９公報）には、基材の表面に接合された実質的に透明で光触媒性半導体材料を含む層を備えた乗り物の前後方窓ガラス乗り物の前後方窓ガラスが開示されている。
【０００７】
例えば、特許文献６（特開２０００−３１９６４１公報）には、自動車用ガラスの表面の一部に、光触媒機能を有する半導体を含む親水性被膜の領域が形成されてなる膜付き自動車用窓ガラスが開示されている。
【０００８】
例えば、特許文献７（特開２００５−２４０４３４）には、屋外に面する開口部に設置された建具が、複数枚の透光板をそれらの間に空気層が形成されるように互いに間隔をおいて備えたものからなり、該建具の空気層内に光触媒からなる屋内空気清浄システムが開示されている。
【０００９】
例えば、特許文献７には、光触媒を含む空気清浄材が設けられると共に、該建具に、空気層と屋内空間とを連通する空気出口と、同空気層と屋内空間とを連通する空気入口とが設けられ、屋内の空気が空気入口を通じて空気層に送り込まれ、空気清浄材で清浄化された後、空気出口を通じて屋内に送り返されるようになされている屋内空気清浄システムが開示されている。
【００１０】
例えば、特許文献８（特開平１０−２２１５０３公報）には、基材表面に、光触媒  粒子と、撥水性シリコ−ンと、前記撥水性シリコ−ンの前記光触媒  の光励起による親水化を防止するための物質とを含有する実質的に透明な表面層が形成されているガラスレンズが開示されている。
【００１１】
例えば、特許文献９（特開平１０−２２１５０４公報）には、基材表面に、光触媒  粒子と、撥水性シリコ−ンと、前記撥水性シリコ−ンの前記光触媒の光励起による親水化を防止するための物質とを含有する実質的に透明な表面層が形成されているプラスチックレンズが開示されている。
【００１２】
例えば、特許文献１０（特開平１１−１０１９０１公報）には、染料、顔料、蓄光部材、抗菌部材、光触媒、反射防止膜の内、少なくとも２種類以上の機能性部材を表面に備えた車載用、信号機用、眼鏡用、光学用レンズが開示されている。
【００１３】
可視光応答型光触媒は、例えば、特許文献１１乃至特許文献１５に開示されている。
【００１４】
例えば、特許文献１１（特開２００４−９８８号公報）、特許文献１２（特許第３６０１５３２号公報）には、酸化チタン結晶の酸素サイトの一部を窒素原子で置換したＴｉ−Ｏ−Ｎ構成を含み、チタン原子と窒素原子との化学結合を有する、可視光領域において光触媒作用を発現する可視光応答型光触媒物質（窒素ドープ酸化チタン）が開示されている。
【００１５】
特許文献１３（特開２００２−２３９３９５号公報）、特許文献１４（特開２００４−７３９１０号公報）には、酸化チタンなどの光触媒粒子の表面にハロゲン化白金化合物を含有している、可視光の照射下で励起可能な可視光応答型光触媒（白金化合物担持酸化チタン）が開示されている。
【００１６】
特許文献１５（特開２００２−２３９３９５号公報）、特許文献１６（特開２００４−７３９１０号公報）には、硫黄原子を陽イオンとして含有することを特徴とする可視光領域でその活性を発現するチタン、ジルコニウム、タンタルおよびストロンチウムからなる群より選ばれる少なくとも１種の酸化物または複合酸化物である含硫黄金属酸化物からなる硫黄ドープ酸化チタンが開示されている。
【００１７】
【特許文献１】特許第３３８３９３２号公報
【特許文献２】米国特許第６，２３８，６３０号公報
【特許文献３】特開平０９−０７１４３７号公報
【特許文献４】特開２００３−１８４４４５号公報
【特許文献５】特開平９−２２７１５９公報
【特許文献６】特開２０００−３１９６４１公報
【特許文献７】特開２００５−２４０４３４公報
【特許文献８】特開平１０−２２１５０３公報
【特許文献９】特開平１０−２２１５０４公報
【特許文献１０】特開平１１−１０１９０１公報
【特許文献１１】特開２００４−９８８号公報
【特許文献１２】特許第３６０１５３２号公報
【特許文献１３】特開２００２−２３９３９５号公報
【特許文献１４】特開２００４−７３９１０号公報
【特許文献１５】特開２００２−２３９３９５号公報
【特許文献１６】特開２００４−７３９１０号公報
【発明の開示】
【発明が解決しようとする課題】
【００１８】
もし特許文献１乃至特許文献１０に開示された光触媒を担持した光透過性部材（透光性部材）の両面に紫外線応答型光触媒膜を形成した場合に、一方の表面側から太陽光線、蛍光ランプから紫外線と可視光線を含む光線を光透過性部材（透光性部材）に入射すると、紫外線は一方の表面に配置された紫外線応答型光触媒膜でほとんど吸収されて、一方の表面に配置された紫外線応答型光触媒膜は紫外線により励起されて、光触媒活性を発現する。
【００１９】
しかしながら、他方の表面に配置された紫外線応答型光触媒膜にはほとんどまたは少ししか紫外線が伝達されず他方の表面に配置された紫外線応答型光触媒膜はほとんど光触媒活性を発現しない。
【００２０】
光触媒を担持した光透過性部材（透光性部材）の両面に光触媒膜を形成した場合に、両面の光触媒膜が共に高い光触媒活性を発現することが期待されている。
【課題を解決するための手段】
【００２１】
本発明は、光触媒を担持した光透過性部材（透光性部材）の両面に光触媒膜を形成した場合にも、
両面の光触媒膜が共に高い光触媒活性を発現する
【００２２】
本発明の一態様は、第１の表面と前記第１の表面と対向する第２の表面を有する板状またはシート状の光透過性部材と、前記第１の表面に全面的に又は部分的に配置された膜状またはシート状の紫外線応答型光触媒を含有する紫外線応答型光触媒部材と、前記第２の表面に全面的に又は部分的に配置された膜状またはシート状の可視光応答型光触媒を含有する可視光応答型光触媒部材を備えた、光触媒を担持した光透過性部材である。
【００２３】
本発明の他の態様は、第１の表面と前記第１の表面と対向する第２の表面を有する板状またはシート状の光透過性部材と、前記第１の表面に全面的に又は部分的に配置された膜状またはシート状の紫外線応答型光触媒を含有する紫外線応答型光触媒部材と、前記第２の表面に全面的に又は部分的に配置された可視光応答型光触媒を含有する膜状またはシート状の可視光応答型光触媒部材を備えた光触媒を担持した光透過性部材を準備し、紫外線と可視光を含む光線を前記第１の表面側から前記光透過性部材に入射させて、紫外線により前記紫外線応答型光触媒部材を励起し、
前記光透過性部材を透過した可視光により前記可視光応答型光触媒部材を励起する、光触媒を担持した光透過性部材の励起方法である。
【００２４】
本発明の他の態様は、対向する一対の表面を有する光透過性部材と、紫外線応答型光触媒を含有する光触媒膜または光触媒シートからなり、一方の前記表面に形成または接着された紫外線応答型光触媒部材と、可視光応答型光触媒を含有する光触媒膜または光触媒シートからなり、他方の前記表面に形成または接着された可視光応答型光触媒部材を備えた、光触媒を担持した光透過性部材である。
【００２５】
本発明の他の態様は、第１の表面と前記第１の表面と対向する第２の表面を有する板状またはシート状の光透過性部材と、前記第１の表面に配置された膜状またはシート状の紫外線応答型光触媒を含有する紫外線応答型光触媒部材と、前記第２の表面に配置された膜状またはシート状の可視光応答型光触媒を含有する可視光応答型光触媒部材を備え、前記紫外線応答型光触媒部材および、または前記可視光応答型光触媒部材が所定のパターン状の形状に前記光透過性部材に配置された、光触媒を担持した光透過性部材である。
【００２６】
本発明の他の態様は、第１の表面と前記第１の表面と対向する第２の表面を有する窓用光透過性部材と、前記第１の表面に全面的に又は部分的に配置された膜状またはシート状の紫外線応答型光触媒を含有する紫外線応答型光触媒と、前記第２の表面に全面的に又は部分的に配置された可視光応答型光触媒を含有する膜状またはシート状の可視光応答型光触媒を備え、前記第１の表面を屋外側または車外側などの開放空間側に配置し、前記第２の表面を屋内側または車内側などの閉塞空間側に配置した、光触媒を担持した窓用光透過性部材である。
【００２７】
本発明の他の態様は、対向する一対の表面を有する窓用光透過性部材と、紫外線応答型光触媒を含有する光触媒膜または光触媒シートからなり、一方の前記表面に形成されたまたは接着された紫外線応答型光触媒部材と、可視光応答型光触媒を含有する光触媒膜または光触媒シートからなり、他方の前記表面に形成されたまたは接着された可視光応答型光触媒部材を備え、室外側または車外側などの開放空間側に前記紫外線応答型光触媒部材を配置し、屋内側または車外側などの閉塞空間側に前記可視光応答型光触媒部材を配置した、光触媒を担持した窓用光透過性部材である。
【００２８】
本発明の他の態様は、室外側または車外側などの開放空間側に配置した第１の窓用光透過性部材と、第１の窓用光透過性部材と所定空間を保って屋内側または車内側などの閉塞空間側に配置した第２の窓用光透過性部材と、第１の窓用光透過性部材の内面に配置された紫外線応答型光触媒を含有する第１の光触媒膜と、第２の窓用光透過性部材の内面に配置された可視光応答型光触媒を含有する第２の光触媒膜を備えた、光触媒を担持した窓である。
【００２９】
本発明の他の態様は、室外側または車外側などの開放空間側に配置した第１の窓用光透過性部材と、第１の窓用光透過性部材と所定空間を保って室内側または車内側などの閉塞空間側に配置した第２の窓用光透過性部材と、第１の窓用光透過性部材の内面に配置された紫外線応答型光触媒を含有する第１の光触媒膜と、第２の窓用光透過性部材の内面に配置された可視光応答型光触媒を含有する第２の光触媒膜を備え、第２の窓用光透過性部材に少なくとも一つの貫通孔を設け、前記貫通孔を経由して屋内の空気を前記所定空間内に通気可能とした、空気清浄機能付き窓である。
【００３０】
本発明の他の態様は、対向する一対の表面を有するレンズ部材などの光学素子と、紫外線応答型光触媒を含有する光触媒膜または光触媒シートからなり、一方の前記表面に形成されたまたは接着された紫外線応答型光触媒部材と、可視光応答型光触媒を含有する光触媒膜または光触媒シートからなり、他方の前記表面に形成されたまたは接着された可視光応答型光触媒部材を備えた、光触媒を担持したレンズ部材などの光学素子である。
【００３１】
本発明の他の態様は、対向する一対の表面を有するレンズ部材と、紫外線応答型光触媒を含有する光触媒膜または光触媒シートからなり、一方の前記表面に形成されたまたは接着された紫外線応答型光触媒部材と、可視光応答型光触媒を含有する光触媒膜または光触媒シートからなり、他方の前記表面に形成されたまたは接着された可視光応答型光触媒部材からなる光触媒を担持したレンズ部材を備えた、光触媒を担持した眼鏡である。
【００３２】
（本発明の基本原理）
【００３３】
図１を参照して本発明の基本原理について説明する。
【００３４】
図１は本発明の基本原理を説明する概略断面図である。
【００３５】
図１に示すように、基本的に、本発明の光触媒装置（光触媒を担持した光透過性部材または光触媒付き光透過性部材）１０は、第１の表面１００ａと第１の表面１００ａと対向する第２の表面１００ｂを有する板状またはシート状の無機材料、有機樹脂（ポリマー）からなる透明または半透明の光透過性部材（透光性部材）１００と、第１の表面１００ａに配置された紫外線応答型光触媒を含有する膜状またはシート状の紫外線応答型光触媒１０１と、第２の表面１００ｂに配置された可視光応答型光触媒を含有する可視光応答型光触媒１０２を備える。
【００３６】
本発明に使用できる透明または半透明な光透過性を有する光透過性部材無機材料としては、例えばガラス、石英などが挙げられる。
【００３７】
本発明に使用できる光透過性を有する有機樹脂（ポリマー）としては、例えば、メチルメタクリレートなどのアクリル系樹脂、ポリカーボネート樹脂、ポリスチレン樹脂、ポリエチレンテレフタレートなどのポリエステル系樹脂、無定形フッ素樹脂、ポリプロピレン樹脂、シリコーン樹脂、エポキシ樹脂、またはこれらの共重合体などが挙げられる。
【００３８】
本発明に使用できる紫外線応答型光触媒を含有する膜状またはシート状の紫外線応答型光触媒１０１は、主として紫外線を吸収して光触媒活性を発揮する光触媒からなる。
【００３９】
可視光応答型光触媒を含有する膜状またはシート状の可視光応答型光触媒１０２としては、紫外線と可視光線を吸収して光触媒活性を発揮する光触媒、または主として可視光線を吸収して光触媒活性を発揮する光触媒からなる。
【００４０】
この光触媒付き光透過性部材１０に、図１の左側から紫外線と可視光線を含む太陽光線などの輻射線Ｌ１を光透過性部材１０の第１の表面１００ａに向けて照射する。
【００４１】
まず、輻射線Ｌ１に含まれる紫外線が紫外線応答型光触媒１０１の箇所でほとんど吸収される。
【００４２】
これにより紫外線応答型光触媒１０１が光触媒活性を発揮する。
【００４３】
次に、輻射線Ｌ１に含まれる可視光線Ｌ２は紫外線応答型光触媒１０２の箇所でほとんど吸収されずに板状またはシート状の光透過性部材１００内を伝達し、第２の表面１００ｂに向かって進行する。
【００４４】
更に、可視光線Ｌ２の一部分は、紫外線応答型光触媒１０２の箇所でほとんど吸収されずに板状またはシート状の光透過性部材１００内を伝達し、第２の表面１００ｂに配置された可視光応答型光触媒１０２の箇所で吸収され、可視光線Ｌ２の残りの部分は、可視光応答型光触媒１０２から外部へ出射する。
【００４５】
これにより可視光応答型光触媒１０２が光触媒活性を発揮する。
【００４６】
以上により、この光透過性部材１０は、紫外線と可視光線を含む太陽光線などの輻射線Ｌ１を光透過性部材１０の一方の表面１００ａに向けて照射することにより、板状またはシート状の光透過性部材１００の両方の表面１００ａ、１００ｂにおいて効率良く光触媒活性を発揮することができる。
【００４７】
通常の可視光応答型光触媒１０２は、紫外線も吸収するので、紫外線の一部分が紫外線応答型光触媒１０１の箇所を透過すると、板状またはシート状の光透過性部材１００を進行し、可視光応答型光触媒１０２の箇所で吸収され、光触媒活性を発揮する。
【００４８】
光触媒付き光透過性部材１０は、この光触媒活性により、殺菌、防汚（セルフクリーニング）、脱臭などの光分解活性と、光親水性が得られる。
【発明を実施するための最良の形態】
【００４９】
全ての図面において同一又は同様の構成要素又は構成部分について同一の参照符号を付している。
【００５０】
（光触媒）
【００５１】
本発明の各種の実施の形態で使用できる紫外線応答型光触媒と可視光応答型光触媒について説明する。
【００５２】
（紫外線応答型光触媒）
【００５３】
本発明に使用できる紫外線応答型光触媒としては、公知のとしていずれの無機酸化物からなる光触媒系を用いてもよい。
【００５４】
本発明に使用できる紫外線応答型光触媒としては、例えば、光触媒活性が高い光触媒酸化チタンを用いるのが特に望ましい。
【００５５】
本発明に使用できる紫外線応答型光触媒としては、光触媒酸化チタンの他に、例えば、酸化亜鉛、酸化スズ、酸化鉄、酸化タングステンなどを用いてもよい。
【００５６】
本発明に使用できる紫外線応答型光触媒の材料として市販されている例えば下記の紫外線応答型光触媒を用いることができる。
【００５７】
石原産業株式会社（ＩＳＨＩＨＡＲＡ  ＳＡＮＧＹＯ  ＫＡＩＳＨＡ，  ＬＴＤ．）製の酸化チタンの粉体、ＳＴシリーズ、銘柄ＳＴ−０１（粒径７ｎｍ）、銘柄ＳＴ−２１（粒径２０ｎｍ）、銘柄ＳＴ−３１（粒径７ｎｍ）、銘柄ＳＴ−４１（粒径２００ｎｍ）、銘柄ＳＴ−３０Ｌ（粒径７ｎｍ）、酸化チタンの水分散体、ＳＴＳシリーズ、銘柄ＳＴＳ−０１（ゾル）、粒径（７ｎｍ）、ＴｉＯ2濃度（３０ｗｔ％）、銘柄ＳＴＳ−０２（ゾル）、ＴｉＯ2濃度（３０ｗｔ％）、銘柄ＳＴＳ−２１（スラリー）、粒径（２０ｎｍ）、ＴｉＯ2濃度（４０ｗｔ％）、銘柄ＳＴＳ−１００（ゾル）、粒径（５ｎｍ）、ＴｉＯ2濃度（２０ｗｔ％）。
【００５８】
本発明に用いられる紫外線応答型光触媒は、これらに限定されず紫外線を受けて光触媒活
性を示す任意の紫外線応答型光触媒を使用できる。
【００５９】
（可視光応答型光触媒）
【００６０】
本発明に使用できる可視光応答型光触媒として、例えば特許文献１１乃至特許文献１５に開示されている可視光応答型光触媒を用いることができる。
【００６１】
本発明に使用できる可視光応答型光触媒としては、市販されている例えば下記の（ａ）乃
至（ｃ）の可視光応答型光触媒が挙げられる。
【００６２】
（ａ）石原産業株式会社（ＩＳＨＩＨＡＲＡ  ＳＡＮＧＹＯ  ＫＡＩＳＨＡ，  ＬＴＤ．）製の酸化チタンに白金化合物を担持した可視光励起型光触媒粉体（銘柄ＭＰＴ−６２１、ＭＰＴ−６２３など）。
【００６３】
（ｂ）豊田中央研究所が開発した窒素ドープ酸化チタン（ＴｉＯ−Ｎ）。
【００６４】
（ｃ）積水樹脂株式会社から市販の酸化チタンに硫黄カチオンを導入し、鉄を担持させた
もの。
【００６５】
本発明に用いられる可視光応答型光触媒は、例えば、特許文献７（特開２００４−９８８
号公報）、特許文献８（特許第３６０１５３２号公報）、特許文献９（特開２００２−２
３９３９５号公報）、特許文献１０（特開２００４−７３９１０号公報）、特許文献１１
（特開２００２−２３９３９５号公報）、特許文献１２（特開２００４−７３９１０号公
報）、その他の多数の特許文献に開示されている可視光応答型光触媒を使用できる。
【００６６】
本発明に用いられる可視光応答型光触媒は、これらに限定されず可視光を受けて光触媒活
性を示す任意の可視光応答型光触媒を使用できる。
【００６７】
（本発明の第１の実施の形態）
【００６８】
図２乃至図５を参照して、本発明を建築物用窓ガラスに適用した本発明の第１の実施の形態につ
いて説明する。
【００６９】
図２は建築物用窓ガラスを示す一部を切り欠いた（省略した）概略断面図である。
【００７０】
図３、図４、図５、図６はそれぞれ図２に示す部分ＰＡを示す概略拡大断面図である。
【００７１】
図２に示すように、建築物用窓ガラス１０は、外壁１０５に形成された窓用開口部１０６に設け
たアルミニウム製などの窓枠（サッシ）１０３と、パッキング（ガスケット）１０４を介し
て窓枠１０３に取り付けた窓ガラス１００からなる。
【００７２】
建築物用窓ガラス１０は、更に窓ガラス１００の室外１１１側の表面１００ａに配置された紫外
線応答型の光触媒を含有する膜状またはシート状の紫外線応答型光触媒部材１０１と、窓ガラス
１００の室内１１２側の表面１００ｂに配置された可視光応答型の光触媒を含有する膜状また
はシート状の可視光応答型光触媒部材１０２からなる。
【００７３】
図３、図４、図５、図６に示すように、例えば、膜状またはシート状の紫外線応答型光触媒部材１０１、膜状またはシート状の可視光応答型光触媒部材１０２としては、種々の形態で窓ガラス１００（光透過性部材）の表面１００ａ、１００ｂに配置できる。
【００７４】
図３に示す光触媒担持窓ガラス（光触媒担光透過性部材）１０Ａは、紫外線応答型光触媒材料を窓ガラス（光透過性部材）１００の一表面１００ａをスパッタリング、ＣＶＤなどの気相沈着法により堆積させて紫外線応答型光触媒粒子からなる紫外線応答型光触媒堆積膜１０１Ａをほぼ全面的（または部分的に）形成すると共に、可視光応答型光触媒材料を窓ガラス１００（光透過性部材）の他表面１００ｂに同じく気相沈着法により光触媒粒子からなる可視光応答型光触媒堆積膜１０２Ｂを堆積させている。
【００７５】
または図３に示す光触媒担持窓ガラス（光触媒担光透過性部材）１０Ａは、窓ガラス（光透過性部材）１００の一表面１００ａに紫外線応答型光触媒からなる多数の微粒子と水、アルコールなどの液体との混合液(光触媒分散液、光触媒コーティング液)を塗布、乾燥させ、そして窓ガラス１００（光透過性部材）の他表面１００ｂにからなる多数の微粒子と水などの液体との混合液 (光触媒分散液、光触媒コーティング液)を塗布、乾燥させ、その後に加熱、焼成により窓ガラス１００に紫外線応答型光触媒膜１０１Ａと可視光応答型光触媒膜１０２Ｂを形成して得ても良い。
【００７６】
または図３に示す光触媒担持窓ガラス（光触媒担光透過性部材）１０Ａは、加熱、焼成後に紫外線応答型光触媒となる前駆体を含有する液体を窓ガラス（光透過性部材）１００の一表面１００ａに塗布、乾燥させ、そして加熱、焼成後に可視光応答型光触媒となる前駆体を含有する液体を窓ガラス１００（光透過性部材）の他表面１００ｂに塗布、乾燥させ、その後に加熱、焼成により紫外線応答型光触媒膜１０１Ａと可視光応答型光触媒膜１０２Ｂを得ても良い。
【００７７】
図４に示すように、光触媒担持窓ガラス（光触媒担光透過性部材）１０Ｂは、複数の紫外線応答型光触媒微粒子１０１Ｂａを分散させた無機または有機樹脂からなる光透過性結合材膜１０１Ｂｂからなる紫外線応答型光触媒膜１０１Ｂを窓ガラス（光透過性部材）１００の一表面１００ａに形成し、複数の可視光応答型光触媒微粒子１０２Ｂａを分散させた無機または有機樹脂からなる光透過性結合材膜１０２Ｂｂからなる紫外線応答型光触媒膜１０２Ｂを窓ガラス（光透過性部材）１００の他表面１００ｂに形成しても良い。
【００７８】
光透過性結合材膜１０１Ｂｂ、光透過性結合材膜１０２Ｂｂの無機結合材（結着材、接着剤）の材料としては、低融点ガラスフリット、低融点ガラスビーズなどを用いても良い。
【００７９】
光透過性結合材膜１０１Ｂｂ、光透過性結合材膜１０２Ｂｂの有機結合材（結着材、接着剤）の材料としては、例えばアクリル樹脂、ポリカーボネート樹脂、ＡＢＳ樹脂、エポキシ樹脂、フッ素樹脂、シリコーン樹脂などを用いても良い。
【００８０】
光触媒微粒子１０１Ｂａ、１０２Ｂａと外部の空気などと接触できるように光触媒微粒子１０１Ｂａ、１０２Ｂａを露出させるか、または光透過性結合材膜１０１Ｂｂ、光透過性結合材膜１０２Ｂｂを多孔性とするのが望ましい。
【００８１】
予めシリカゲル、ゼオライトなどの多孔性粒子に、多孔性粒子よりも平均径が小さな複数の光触媒微粒子１０１Ｂａ、１０２Ｂａを担持させた粒子を分散した光透過性結合材を用いることにより、光透過性結合材膜１０１Ｂｂ、光透過性結合材膜１０２Ｂｂを多孔性としてもよく、それにより光触媒微粒子１０１Ｂａ、１０２Ｂａを露出することができる。
【００８２】
図５に示すように、光触媒担持窓ガラス（光触媒担光透過性部材）１０Ｃは、光透過性中間膜(プリコート膜)１０１Ｃｃ、光透過性中間膜(プリコート膜)１０２Ｃｃをそれぞれ窓ガラス（光透過性部材）１００の一表面１００ａと他表面１００ｂと、紫外線応答型光触媒膜１０１Ｃ、可視光応答型光触媒膜１０２Ｃの間に介在している。
【００８３】
光透過性中間膜１０１Ｃｃ、光透過性中間膜１０２Ｃｃは、紫外線応答型光触媒膜１０１Ｃ、可視光応答型光触媒膜１０２Ｃの示す光触媒活性により、窓ガラス（光透過性部材）１００を変色、着色などの劣化から防ぐものである。
【００８４】
光透過性中間膜１０１Ｃｃ、光透過性中間膜１０２Ｃｃは、例えば、シリカガラス、シリコーン樹脂、フッ素樹脂などの光触媒に不活性の材料からなるのが望ましい。
【００８５】
または窓ガラス（光透過性部材）１００からの成分により紫外線応答型光触媒膜１０１Ｃ、可視光応答型光触媒膜１０２Ｃの示す光触媒活性が低下するのを防ぐものである。
【００８６】
即ち、図５に示すように、光触媒担持窓ガラス（光触媒担光透過性部材）１０Ｃは、複数の紫外線応答型光触媒微粒子１０１Ｃａを含有する光透過性結合材膜１０１Ｃｂからなる紫外線応答型光触媒膜１０２Ｃを、無機または有機樹脂からなる光透過性中間膜１０１Ｃｃを介在して光透過性窓ガラス（光透過性部材）１００の一表面１００ａに形成し、複数の可視光応答型光触媒微粒子１０２Ｃａを分散させた無機または有機樹脂からなる光透過性結合材膜１０２Ｃｂからなる可視光応答型光触媒膜１０２Ｃを光透過性中間膜１０２Ｃｃを介在して窓ガラス（光透過性部材）１００の他表面１００ｂに形成している。
【００８７】
図６に示すように、光触媒担持窓ガラス（光触媒担光透過性部材）１０Ｄは、予め紫外線応答型光触媒粒子１０１Ｄａを含有する光透過性結合材膜１０１Ｄｂを一表面に形成した光透過性シート１０１Ｄｃと、予め可視光応答型光触媒粒子１０２Ｄａを含有する光透過性結合材膜１０２Ｄｂを他表面に形成した光透過性シート１０２Ｄｃを用い、光透過性シート１０１Ｄｃと光透過性シート１０２Ｄｃを光透過性窓ガラス（光透過性部材）１００の両表面１００ａ、１００ｂ上に配置するものである。
【００８８】
即ち、図６に示すように、光触媒担持窓ガラス（光触媒担光透過性部材）１０Ｄは、予め紫外線応答型光触媒粒子１０１Ｄａを含有する光透過性結合材膜１０１Ｄｂを一表面に形成した光透過性シート１０１Ｄｃを、光透過性接着剤、粘着材１０１Ｄｄなどにより光透過性窓ガラス（光透過性部材）１００の一表面１００ａに接着などにより固定し、予め可視光応答型光触媒粒子１０２Ｄａを含有する光透過性結合材膜１０２Ｄｂを他表面に形成した光透過性シート１０２Ｄｃを光透過性接着剤、粘着材１０２Ｄｄなどにより光透過性窓ガラス（光透過性部材）１００の他表面１００ｂに接着などにより固定しても良い。
【００８９】
光透過性シート１０１Ｄｃ、光透過性シート１０２Ｄｃとしては、例えば、ポリエチレンテレフタレートフィルムなどのポリエステルシート、ポリフロロエチレンフィルムなどの透明フッ素樹脂シートなどの光透過性ポリマーシートまたは膜状のガラスシートなどの光透過性無機シートを用いても良い。
【００９０】
（本発明の第２の実施の形態）
【００９１】
図７を参照して、本発明を自動車などの乗物用窓ガラスに適用した本発明の第２の実施の形態に
ついて説明する。
【００９２】
図７は本発明の第２の実施の形態の窓ガラスを備えた自動車を示し、窓ガラスを断面とした概略
断面図である。
【００９３】
図７において、自動車３０は光触媒付き窓ガラス２０を装着している。
【００９４】
光触媒付き窓ガラス２０は、基本的に前述の本発明の図１乃至図６に示す第１の実施の形態の窓
ガラス１０と同様または同一である。
【００９５】
光触媒付き窓ガラス２０は、自動車用フロントウィンドーまたはリアウィンドーなどの窓ガラス
１００の室外１１１側の表面にシート状または膜状の紫外線応答型光触媒部材１０１を形成、接
着して配置し、自動車用窓ガラス１００の室内１１２側の表面にシート状または膜状の可視光応
答型光触媒部材１０２を形成、接着して配置している。
【００９６】
従って第１の実施の形態と同様に、光触媒付き窓ガラス２０に、自動車の室外１１１から紫外線と可視光線を含む太陽光線が窓ガラス２０に向けて照射されると、太陽光線の紫外線成分が紫外線応答型光触媒部材１０１で吸収されて光触媒活性を発現する。
【００９７】
それにより窓ガラス２０の外面は光触媒活性により防汚効果、親水性効果を示す。
【００９８】
光触媒の励起による防汚効果により窓ガラス２０の外面は汚れが窓ガラス２０の外面に付着し
た有機物は分解されて汚れが窓ガラス２０の外面に付着しにくくなる。
【００９９】
また光触媒の励起による親水性効果により窓ガラス２０の外面に付着した水滴が膜状となって、
運転の視野を水滴により妨げるのを防ぐことができる。
【０１００】
太陽光線の可視光成分はほとんど紫外線応答型光触媒部材１０１で吸収されることなく、窓ガラ
ス２０を透過して窓ガラス２０の内面に配置された可視光応答型光触媒部材１０２で一部が吸
収され、光触媒活性を発現する。それにより車内１１２の空気は脱臭されて浄化される。
【０１０１】
可視光応答型光触媒部材１０２で吸収されない残りの可視光成分は車内を照明する。
【０１０２】
紫外線応答型光触媒部材１０１は、窓ガラス２０の室外１０１側の表面に部分的または全面的に
配置することができる。
【０１０３】
可視光応答型光触媒部材１０２は、窓ガラス２０の室内１０２側の表面に部分的または全面的に
配置される。
【０１０４】
紫外線応答型光触媒部材１０１および、または可視光応答型光触媒部材１０２は、窓ガラス２０
に島状、点状、格子状、ストライプ状などのパターン状に部分的に配置することができる。(後
に図１１乃至図１６を参照して詳記する。)
【０１０５】
通常、可視光応答型光触媒は、可視光線の青色光線をよく吸収するので、運転手が交通標識、交
通信号などの色彩情報を誤認しないように、窓ガラス２０の内面には光触媒膜を形成する領域と
光触媒膜を形成しない領域を設けるのが望ましい。
【０１０６】
窓ガラス２０の内面には可視光応答型光触媒膜を形成する領域と可視光応答型光触媒膜を形成
しない領域を設ける場合でも車内の空気は対流しているので実用上十分な脱臭効果が得られる。
【０１０７】
（本発明の第３の実施の形態）
【０１０８】
図８を参照して、本発明を眼鏡などに用いるレンズ(光学素子)に適用した本発明の第３の実施の
形態について説明する。
【０１０９】
図８は、レンズの一部を切り欠き断面として示す本発明の第３の実施の形態の概略斜視図である。
【０１１０】
図８に示すように、眼鏡４０は眼鏡枠（眼鏡フレーム）と一対の光触媒付きレンズ５０からなる。
【０１１１】
眼鏡枠は、一対のレンズ枠（リム）６１と、一対のレンズ５０を結合するブリッジ６２と、一対のテンプル（つる）６０と、一端がテンプル６０に接続され他端がテンプル６０の一端と接続されたヒンジ６３と、テンプル６０の他端と接続された耳当て部材６４と、鼻当てパッド（図示せず）からなる。
【０１１２】
光触媒付きレンズ５０は左右のレンズ枠（リム）６１にはめ込まれている。
【０１１３】
光触媒付きレンズ５０は、光学プラスチックまたは光学ガラスからなるレンズ１００と、レンズ１００の外面に形成された第一の光触媒膜（光触媒コーティング膜）１０１と、レンズ１００の内面に形成された第二の光触媒膜（光触媒コーティング膜）１０２からなる。
【０１１４】
レンズ１００の外面の第一の光触媒膜（光触媒コーティング膜）１０１は、前述および図３乃至図６のいずれかに示した紫外線応答型光触媒を含有した紫外線応答型光触媒膜（またはシート）である。
【０１１５】
レンズ１００の内面に形成された第二の光触媒膜（光触媒コーティング膜）１０２は、前述および図３乃至図６のいずれかに示した可視光線応答型光触媒を含有した可視光線応答型光触媒膜である。
【０１１６】
光触媒レンズ１００に形成された紫外線応答型光触媒膜１０１と可視光線応答型光触媒膜１０
２は、太陽光、蛍光灯などに含まれる近紫外線と可視光線とにより励起されて光触媒活性を発
現する。
【０１１７】
これにより光触媒レンズ１００に付着された汚れ成分が分解されてクリーンに保たれる。
【０１１８】
（本発明の第４の実施の形態）
【０１１９】
図９を参照して、本発明を建築物用二重窓ガラスに適用した本発明の第４の実施の形態について
説明する。
【０１２０】
図９は、二重窓ガラス７０示す本発明の第４の実施の形態の概略断面図である。
【０１２１】
図９に示すように、建築物用二重窓ガラス７０は、外壁１０５に形成された窓用開口部１０６に
設けられたアルミニウム製などの窓枠（サッシ）１０３と、パッキング（ガスケット）１０４を
介して窓枠１０３に取り付けられ所定の間隔の空間１０７を介して対向する一対の窓ガラス１
００Ａ、１００Ｂからなる。
【０１２２】
一方の窓ガラス１００Ａは、建築の室外１１１側に配置され、他方の窓ガラス１００Ｂは建築の
室内１１２側に配置される。
【０１２３】
図９に示すように、スペーサー１０８を、一対の窓ガラス１００Ａ、１００Ｂの間の周縁には窓ガラス１００Ａ、１００Ｂを所定間隔に保つために設けるのが望ましい。
【０１２４】
図９に示すように、一対の窓ガラス１００Ａ、１００Ｂ間の周縁には、スペーサー１０８の外側に封止材（シール材）１０９を設けても良い。
【０１２５】
予め空間１０７をほぼ真空にして封止材（シール材）１０９により窓ガラス１００Ａ、１００Ｂ間の周縁を封止して窓ガラス１００Ａ、１００Ｂを一体化して、断熱性を有する二重窓ガラスとすることができる。
【０１２６】
窓ガラス１００Ａは、更に窓ガラス１００の室外１１１側の表面に全面的または部分的に紫外線
応答型の光触媒を含有する膜状またはシート状の紫外線応答型光触媒部材１０１が設けられる。
【０１２７】
窓ガラス１００Ｂは、更に窓ガラス１０Ｂの室内１１２側の表面に全面的または部分的に可視光
応答型の光触媒を含有する膜状またはシート状の可視光応答型光触媒部材１０２が設けられる。
【０１２８】
（本発明の第５の実施の形態）
【０１２９】
図１０を参照して、本発明を建築物用二重窓ガラスに適用した本発明の第５の実施の形態につい
て説明する。
【０１３０】
図１０は、建築物用二重窓ガラス８０を示す本発明の第４の実施の形態の概略断面図である。
【０１３１】
本発明の第４の実施の形態では、室内の空気を積極的に浄化できる。
【０１３２】
図１０に示すように、建築物用二重窓ガラス８０は、外壁１０５に形成された窓用開口部１０６
に設けたアルミニウム製などの窓枠（サッシ）１０３と、パッキング（ガスケット）１０４を介
して窓枠１０３に取り付けられ所定の間隔の空間１０７を介して対向する一対の窓ガラス１０
０Ｃ、１００Ｄからなる。
【０１３３】
一方の窓ガラス１００Ｃは、建築の室外１１１側に配置され、他方の窓ガラス１００Ｄは建築の
室内１１２側に配置される。
【０１３４】
図１０に示すように、スペーサー１０８を、一対の窓ガラス１００Ｃ、１００Ｄの間の周縁には窓ガラス１００Ｃ、１００Ｄを所定間隔に保つために設ける。
【０１３５】
図１０に示すように、室内側に配置した窓ガラス１００Ｄの上部と下部には、それぞれ少なくとも一つの貫通孔１００Ｄ１、１００Ｄ２が形成されており、空間１０７と室内１１２が連通され、空間１０７と室内１１２の空気が対流可能とされる。
【０１３６】
従って空間１０７と室内１１２の空気は、図１０の参照符号ＡＦ１、ＡＦ２の矢印付き鎖線で示すように対流可能とされる。
【０１３７】
スペーサー１０８の外側に封止材（シール材）１０９を設けても良い。
【０１３８】
更に室内１１２の空気と、空間１０７内の空気を強制的に循環させるファン(送風機)ＦＮを設けても良い。
【０１３９】
更に窓ガラス１００Ｃ内面に全面的または部分的に紫外線応答型の光触媒を含有する膜状また
はシート状の紫外線応答型光触媒部材１０１が設けられる。
【０１４０】
更に窓ガラス１００Ｄの内面に全面的または部分的に可視光応答型の光触媒を含有する膜状ま
たはシート状の可視光応答型光触媒部材１０２が設けられる。
【０１４１】
（パターン状の光触媒膜）
【０１４２】
前記の各種の実施の形態において、紫外線応答型光触媒（光触媒膜またはシート）および、ま
たは可視光応答型光触媒（光触媒膜またはシート）は、板状またはシート状の前記光透過性部材
の表面に任意のパターン状に部分的（選択的）に形成、配置することができる。
【０１４３】
これにより、前記光透過性部材の表面には光触媒膜が存在する領域と光触媒膜が存在しない領域ができる。
【０１４４】
図１１乃至図１６を参照して、パターン状の模様形状の光触媒膜を備えた光透過性部材の数例を
説明する。
【０１４５】
図１１乃至図１６はそれぞれパターン状の模様形状の光触媒膜１０１、１０２を備えた光透過性
部材１００を示す概略平面図である。
【０１４６】
図１１乃至図１６において、光透過性部材１００は、光透過性部材１００の一表面１００ａまた
は他表面１００ｂに、パターン状の紫外線応答型光触媒膜１０１またはパターン状の可視光応答
型光触媒膜１０２を備えている。
【０１４７】
図１１では、光透過性部材１００の一表面１００ａまたは他表面１００ｂにストライプ状（帯状）
の形状の複数の光触媒膜１０１または１０２が、互いに任意の間隔で配列されている。
【０１４８】
図１２では、光透過性部材１００の一表面１００ａまたは他表面１００ｂにマトリクス状（格子
状）の形状の光触媒膜１０１または１０２が配置されている。
【０１４９】
図１３では、光透過性部材１００の一表面１００ａまたは他表面１００ｂにほぼ矩形の形状の複
数の光触媒膜１０１または１０２が、互いに任意の間隔で島状に配列されている。
【０１５０】
図１４では、光透過性部材１００の一表面１００ａまたは他表面１００ｂにほぼ円形の形状の複
数の光触媒膜１０１または１０２が、互いに任意の間隔で島状に配列されている。
【０１５１】
図１５では、光透過性部材１００の一表面１００ａまたは他表面１００ｂのほぼ矩形の形状の複
数の島状領域を除く領域に光触媒膜１０１または１０２が配置されている。
【０１５２】
図１６では、光透過性部材１００の一表面１００ａまたは他表面１００ｂのほぼ円形の形状の複
数の島状領域を除く領域に光触媒膜１０１または１０２が配置されている。
【０１５３】
前記の各種の実施の形態において、前記光触媒付き窓は、建築用窓、乗物用窓に限定されず、例えば計器用窓、ゴーグル用窓、太陽電池用窓などの光透過性部材に適用することができる。
【０１５４】
以上に添付図面を参照して各種の本発明の実施の形態を説明したが、本発明はこれらの実施の形態に限定されず、本発明の精神と特許請求の範囲に基づいて各種の変形、設計変更および改良が可能であることに留意されたい。
【図面の簡単な説明】
【０１５５】
【図１】図１は、本発明の原理を説明する概略説明図である。
【図２】は本発明の第１の実施の形態を示す建築物用窓ガラスを示す一部を切り欠いた（省略した）概略断面図である。
【図３】図３は、図２に示す部分ＰＡを示す光触媒付き光透過性部材の概略拡大断面図である。
【図４】図４は、図２に示す部分ＰＡを示す他の光触媒付き光透過性部材の概略拡大断面図である。
【図５】図５は、図２に示す部分ＰＡを示す他の光触媒付き光透過性部材の概略拡大断面図である。
【図６】図６は、図２に示す部分ＰＡを示す他の光触媒付き光透過性部材の概略拡大断面図である。
【図７】図７は本発明の第２の実施の形態の窓ガラスを備えた自動車（乗物）を示し、窓ガラスを断面とした概略断面図である。
【図８】図８は、本発明の第３の実施の形態のレンズを備えた眼鏡を説明し、レンズの一部を切り欠き断面として示す概略斜視図である。
【図９】図９は、本発明の第４の実施の形態の二重窓ガラスを示し、その一部を切り欠いた（省略した）概略断面図である。
【図１０】図１０は、本発明の第５の実施の形態の二重窓ガラスを示し、その一部を切り欠いた（省略した）概略断面図である。
【図１１】図１１は、パターン状の模様形状の光触媒を備えた光透過性部材を示す概略平面図である。
【図１２】図１２は、パターン状の模様形状の光触媒を備えた光透過性部材を示す概略平面図である。
【図１３】図１３は、パターン状の模様形状の光触媒を備えた光透過性部材を示す概略平面図である。
【図１４】図１４は、他のパターン状の模様形状の光触媒を備えた光透過性部材を示す概略平面図である。
【図１５】図１５は、他のパターン状の模様形状の光触媒を備えた光透過性部材を示す概略平面図である。
【図１６】図１６は、他のパターン状の模様形状の光触媒を備えた光透過性部材を示す概略平面図である。
【符号の説明】
【０１５６】
Ｌ１；太陽光線（紫外線と可視光線）
Ｌ２；透過光線（可視光線）
Ｌ３；透過光線（可視光線）
Ｌ４；照明光線（可視光線）
１０；光触媒を担持した光透過性部材（光触媒付き窓ガラスなど）  １０Ａ；光触媒を担持した光透過性部材（光触媒付き窓ガラスなど）
１０Ｂ；光触媒を担持した光透過性部材（光触媒付き窓ガラスなど）  
１０Ｃ；光触媒を担持した光透過性部材（光触媒付き窓ガラスなど）  
１０Ｄ；光触媒を担持した光透過性部材（光触媒付き窓ガラスなど）  
２０；乗物用光触媒付き窓ガラス  ３０；乗物
４０；光触媒レンズ付き眼鏡
５０；光触媒付きレンズ  ６０；テンプル（つる）
６１；  レンズ枠（リム）
６２；  ブリッジ
６３；耳当て部材
６４；光触媒付きレンズ  ７０；建築物用光触媒付き二重窓ガラス
７０；建築物用光触媒付き二重窓ガラス
８０；建築物用光触媒付き二重窓ガラス（空気清浄装置）
１００；光透過性ガラス板、光透過性プラスチック板（板状またはシート状の光透過性部材（透光性部材））  
１００ａ；一表面
１００ｂ；他表面
１００Ａ；光透過性板状部材、ガラス板、プラスチック板（板状またはシート状の光透過性部材）  
１００Ｂ；光透過性板状部材、ガラス板、プラスチック板（板状またはシート状の光透過性部材）  
１００Ｃ；光透過性板状部材、ガラス板、プラスチック板（板状またはシート状の光透過性部材）  
１００Ｄ；光透過性板状部材、ガラス板、プラスチック板（板状またはシート状の光透過性部材）  
１０１；紫外線応答型光触媒部材
１０２；可視光応答型光触媒部材
１０３；窓枠（サッシ）
１０４；パッキング（ガスケット）
１０５；外壁
１０６；開口
１０７；空間
１０８；スペーサー
１０９；封止材（シール材）
１１１；屋外、車外
１１２；屋内、車内
【図１】
2007160240.tif 000003
【図２】
2007160240.tif 000004
【図３】
2007160240.tif 000005
【図４】
2007160240.tif 000006
【図５】
2007160240.tif 000007
【図６】
2007160240.tif 000008
【図７】
2007160240.tif 000009
【図８】
2007160240.tif 000010
【図９】
2007160240.tif 000011
【図１０】
2007160240.tif 000012
【図１１】
2007160240.tif 000013
【図１２】
2007160240.tif 000014
【図１３】
2007160240.tif 000015
【図１４】
2007160240.tif 000016
【図１５】
2007160240.tif 000017
【図１６】
2007160240.tif 000018